(57)【要約】【課題】  設置するプラズマディスプレイ（ＰＤＰ）や液晶等の薄型画像表示装置の重量が天板（ラック）にかかってしまわないようにすることで、この天板（ラック）が変形してしまうおそれがないようにした表示装置固定用スタンドを提供する。【解決手段】  脚部２を床面Ａに当接させた対をなす支柱１と、同支柱１間の上部に設けられた表示装置固定用の第一固定部４と、同支柱１の下部に設けられ、物品載置用のラック５に固定する第二固定部６とを備えた表示装置固定用スタンドにした。【選択図】  図１
2006303835.tif 000002
【特許請求の範囲】
【請求項１】
脚部を床面に当接させた支柱と、同支柱の上部に設けられた表示装置固定用の第一固定部と、同支柱の下部に設けられ、脚部を床面に当接させた物品載置用のラックに固定する第二固定部とを備えてなることを特徴とする表示装置固定用スタンド。
【請求項２】
前記第二固定部が、前記ラックの高さに対応して上下に移動可能であることを特徴とする請求項１に記載の表示装置固定用スタンド。
【請求項３】
前記第二固定部が、前記ラックの上面および、または下面に固定する固定片からなることを特徴とする請求項１に記載の表示装置固定用スタンド。
【請求項４】
前記固定片が前後に伸縮可能であることを特徴とする請求項３に記載の表示装置固定用スタンド。
【請求項５】
前記脚部にキャスタが設けられてなることを特徴とする請求項１に記載の表示装置固定用スタンド。
【請求項６】
壁面に固着されたスライドレールに対応して、前記支柱にローラを有するスライド金具が設けられてなることを特徴とする請求項１または請求項５に記載の表示装置固定用スタンド。
【発明の詳細な説明】
【技術分野】
【０００１】
本発明は、プラズマディスプレイ（ＰＤＰ）や液晶等の薄型画像表示装置を固定する第一固定部と、物品載置用のラックに固定する第二固定部とを備えた表示装置固定用スタンドに係わり、より詳細には、プラズマディスプレイ（ＰＤＰ）や液晶表示装置の重さによってラックが変形してしまわないようにしたものに関する。
【背景技術】
【０００２】
従来の表示装置固定用スタンドとして、異なるタイプでその取り付け位置がそれぞれ異なっている複数の平面型ディスプレイを、一種類のスタンドで統一的に支持できるようにしたものとして、平面型ディスプレイの背部に左右に離間させて取り付けられる垂直支持部材と、垂直支持部材が掛け止めされるフレームと、フレームを支持する脚部と、垂直支持部材から突設され、フレームにスライド可能に係止される係止部材とを備えたことを特徴とするものが開示されていた（例えば、特許文献１参照。）。
【０００３】
しかしながら、上記構成でなる表示装置固定用スタンドにおいて、脚部の構造は、ＡＶラックやリビングボードの天板（ラック）を挟み込んで立ち上げるようになっていることから、設置するプラズマディスプレイ（ＰＤＰ）や液晶等の薄型画像表示装置の質量がすべて天板（ラック）にかかってしまうようになって、この天板（ラック）が変形してしまうおそれがあった。
【０００４】
【特許文献１】特開２００３−１８６４１２号公報
【発明の開示】
【発明が解決しようとする課題】
【０００５】
本発明は上述した課題を解決するためになされたものであって、設置するプラズマディスプレイ（ＰＤＰ）や液晶等の薄型画像表示装置の質量の全部が天板（ラック）にかかってしまわないようにすることで、この天板（ラック）が変形してしまうおそれがないようにした表示装置固定用スタンドを提供することを目的としている。
【課題を解決するための手段】
【０００６】
上述した目的を達成するため、本発明は以下に示す特徴を備えている。
脚部を床面に当接させた支柱と、同支柱の上部に設けられた表示装置固定用の第一固定部と、同支柱の下部に設けられ、脚部を床面に当接させた物品載置用のラックに固定する第二固定部とを備えてなることを特徴としている。
【０００７】
また、前記第二固定部が、前記ラックの高さに対応して上下に移動可能であることを特徴としている。
【０００８】
また、前記第二固定部が、前記ラックの上面および、または下面に固定する固定片からなることを特徴としている。
【０００９】
また、前記固定片が前後に伸縮可能であることを特徴としている。
【００１０】
また、前記脚部にキャスタが設けられてなることを特徴としている。
【００１１】
更に、壁面に固着されたスライドレールに対応して、前記支柱にローラを有するスライド金具が設けられてなることを特徴としている。
【発明の効果】
【００１２】
本発明によれば、プラズマディスプレイ（ＰＤＰ）や液晶等の薄型画像表示装置を設置する際、この薄型画像表示装置の質量の全部が天板（ラック）にかかってしまわないようになり、したがって、この天板（ラック）が変形してしまうというおそれがないようにした表示装置固定用スタンドとなる。
【００１３】
また、表示装置固定用スタンドを物品載置用のラックに固定するための第二固定部を、前記ラックの高さに対応して上下に移動可能にしたことで、高さが異なる各種のラックに対応して表示装置固定用スタンドを正確に固定できるようになる。
【００１４】
また、前記第二固定部が、前記ラックの上面または下面のいずれか一方、もしくは上面および下面に固定する固定片からなる構成にすることで、例えば各種の物品や機器類を載置したラックの下面を、同ラックが撓んでしまわないよう効果的に補強できるようにしたり、前記ラックに強固に固定できるようにした表示装置固定用スタンドとなる。
【００１５】
また、前期表示装置固定用スタンドの脚部にキャスタを設けることで、例えばキャスタ付きの前記ラックといっしょに床面上をスムースに移動できるようになる。
【発明を実施するための最良の形態】
【００１６】
以下、本発明の実施の形態を、添付図面に基づいた実施例として詳細に説明する。
図１は本発明の表示装置固定用スタンドの実施例１を示す説明図で、（Ａ）は一例を示す側面図、（Ｂ）は他の例を示す要部側面図、（Ｃ）は前面側からの斜視図、（Ｄ）は背面側からの斜視図であり、図２は本発明の表示装置固定用スタンドの実施例２を示す斜視図であり、図３は実施例１および実施例２の説明図で、（Ａ）は分解斜視図、（Ｂ）は要部分解斜視図であり、図４は実施例３を示す分解斜視図であり、図５は実施例４を示す説明図で、（Ａ）は斜視図であり、（Ｂ）は要部説明図である。
【実施例１】
【００１７】
本発明の実施例１による表示装置固定用スタンドは、図１（Ａ）乃至図１（Ｄ）に示すように、脚部２を床面Ａに当接させた対をなす支柱１と、同支柱１間の上部に設けられた表示装置３を固定するための表示装置固定用の第一固定部４と、同支柱１の下部に設けられ、物品や機器類載置用のラック５に固定するための第二固定部６とを備えてなる構成になっている。
【００１８】
前記第一固定部４は、前記表示装置３の背面に設けられた固定用のねじ孔に対応して、対をなす前記支柱１を接続した接続板に設けられた固定孔からなり、同固定孔に通したねじを前記表示装置３背面のねじ孔に螺着して、前記支柱１間の上部に前記表示装置３を固定するようになっている。
【００１９】
また、前記支柱１は、一例として図１（Ａ）に示すように、真っ直ぐな柱状に形成してもよいし、また、他の例として図１（Ｂ）に示すように、折曲部1aを有した柱状に形成してもよく、同折曲部1aを有した場合には、前記表示装置３は重心の位置が前記ラック５の側に移動することになって後方に転倒するおそれがなくなる。
【００２０】
前記第二固定部６は、図１（Ａ）乃至図１（Ｄ）と、図３（Ａ）および図３（Ｂ）とに示すように、前記ラック５に対応して、対をなす前記支柱１を挿通して上下に移動可能な挿通枠6aおよび6dに設けられた水平状の固定片6b〜6eからなり、同固定片6b〜6eに設けられた固定ねじ孔にねじを螺着して、前記ラック５に表示装置固定用スタンドを固定するようになっている。
【００２１】
より詳細には、前記固定片6bおよび6cによって下部の前記ラック５を挟むようにして固定すると共に、前記固定片6eを上部の前記ラック５上面を当接させ、付勢ばね９によって上方に付勢される押圧片6fにより、図３（Ａ）に示すａ位置で上部の前記ラック５下面を押圧することによって、前記ラック５に前記表示装置固定用スタンドを容易に、かつ正確に固定できるようになっている。また、前記押圧片6fに設けられた固定ねじ孔を用いて前記ラック５にねじ止めすることにより、強固に固定できるようになっている。
なお、前記付勢ばね９は、前記ラック５の図示しない背板を止める場合には、図３（Ａ）に示すｂ位置で止めることができるようになる。
【００２２】
その際、前記ラック５の表面と前記固定片6cとの間に、図３（Ｂ）に示すような保護シート5bを設けることによって、同固定片6cの固定ねじ孔に螺着したねじの先端が前記ラック５の表面に直接当らないよう保護できるようになり、例えば前記ラック５がガラス製であるような場合、その表面をねじの先端から前記保護シート5bによって保護できるようになる。
【００２３】
また、前記支柱１の脚部２にロック機能付のキャスタ2aが取り付けられると共に、前記ラック５にキャスタ5aが取り付けられており、これによって、前記表示装置固定用スタンドと前記ラック５とは、前記第二固定部６により一体化された状態で床面Ａ上をスムースに移動できるようになっている。
【００２４】
これらにより、プラズマディスプレイ（ＰＤＰ）や液晶等の薄型画像表示装置を設置する際、この薄型画像表示装置の質量の全部が前記ラック５にかかってしまわないようになり、したがって、このラック５が変形してしまうというおそれがなくなる。
【００２５】
なお、床面Ａ上をスムースに移動させる必要がない場合には、前記キャスタ2aに代えて前記支柱１の脚部２に合成樹脂製の足2b、もしくは合成ゴム製の足2cを取り付けるようにしてもよい。
【実施例２】
【００２６】
次に、図２に基づいて、本発明の実施例２による表示装置固定用スタンドについて説明する。
対をなす前記支柱１間に、表示装置固定用スタンドを壁面Ｂに固着するための固着部10を設けることによって、前記第二の固定部６により前記ラック５に固定した表示装置固定用スタンドを壁面Ｂに固着できるようになる。
【００２７】
その際、表示装置固定用スタンドは床面Ａ上を移動させることがないので、前記支柱１の脚部２には、前記合成樹脂製の足2b、もしくは前記合成ゴム製の足2cを取り付けるようにすればよい。
【実施例３】
【００２８】
また、実施例３として図４に示すように、前記固定片6bに前後に伸縮可能な補助固定片6b' を設けると共に、同補助固定片6b' の先端に前記ラック５の周縁を保持する折返し片6b''を設け、また同様に、前記固定片6gに前後に伸縮可能な補助固定片6g' を設けると共に、同補助固定片6g' の先端に前記ラック５の周縁を保持する折返し片6g''を設けるようにしてもよい。
【００２９】
これによって、例えば前記ラック５がガラス製であるような場合、その周縁を保持できるので表示装置固定用スタンドを更に正確に固定できるようになる。
【実施例４】
【００３０】
また、実施例４として図５（Ａ）および図５（Ｂ）に示すように、左右に延びる断面Ｃ字状のスライドレールＣが壁面Ｂに固着される一方、同スライドレールＣに対応して、前記支柱１にローラ７を有するスライド金具８が設けられると共に、前記支柱１の脚部２にキャスタ2aが設けられてなる構成にしてもよい。
【００３１】
これによって、前記ラック５に固定された表示装置固定用スタンドを、壁面Ｂに沿って左右に移動可能に設置できるようになり、左右に移動させたい場合には前記スライドレールＣによって正確に、かつ容易に移動させることができるようになって便利である。
【００３２】
なお、前記スライド金具８は、対をなす前記支柱１に夫々設けられることによって、より正確に、かつ容易に移動させることができるようになる。
【図面の簡単な説明】
【００３３】
【図１】本発明による表示装置固定用スタンドの実施例１を示す説明図で、（Ａ）は一例を示す側面図であり、（Ｂ）は他の例を示す要部側面図であり、（Ｃ）は前面側からの斜視図であり、（Ｄ）は背面側からの斜視図である。
【図２】本発明による表示装置固定用スタンドの実施例２を示す斜視図である。
【図３】本発明による表示装置固定用スタンドの実施例１および実施例２の説明図で、（Ａ）は分解斜視図であり、（Ｂ）は要部分解斜視図である。
【図４】本発明による表示装置固定用スタンドの実施例３を示す分解斜視図である。
【図５】本発明による表示装置固定用スタンドの実施例４を示す説明図で、（Ａ）は斜視図であり、（Ｂ）は要部説明図である。
【符号の説明】
【００３４】
１  支柱
２  脚部
2a  キャスタ（ロック機能付）
2b  合成樹脂製の足
2c  合成ゴム製の足
３  表示装置
４  第一固定部
５  ラック
5a  キャスタ
5b  保護シート
６  第二固定部
6a、6d  挿通枠
6b〜6e  固定片
6b' 、6g'   補助固定片
6b''、6g''  折返し片
6f  押圧片
７  ローラ
８  スライド金具
９  付勢ばね
10  固着部
Ａ  床面
Ｂ  壁面
Ｃ  スライドレール
【図１】
2006303835.tif 000003
【図２】
2006303835.tif 000004
【図３】
2006303835.tif 000005
【図４】
2006303835.tif 000006
【図５】
2006303835.tif 000007